(57)【要約】【課題】  不織布などのシート状のゴミ吸着部材を用いる掃除用具において、ゴミ吸着部材をより有効に使用できるようにする。【解決手段】  平面視で全体として四角形状とされた用具基体（１２）と、該用具基体に取り付けられたハンドル（３２）を有する。用具基体（１２）は、帯状のゴミ吸着部材を、用具本体の側面側から見て、用具基体の外周面に沿った環状の形にして取り外し可能に保持する。ハンドル（３２）は、用具基体の左右の側面間を横断する方向に延びる軸線の周りで用具基体を回動可能に支持することにより当該用具基体が上下反転可能とするシャフト部（３２ａ）を備える。【選択図】  図１
2017099500.tif 000002
【特許請求の範囲】
【請求項１】
平面視で全体として四角形状とされた用具基体であって、帯状のゴミ吸着部材を、該用具本体の左右側面側から見て、該用具基体の外周面に沿った環状の形にして取り外し可能に保持する用具基体と、
該用具基体に取り付けられ作業者によって把持されるハンドルであって、該用具基体の左右の側面間を横断する方向に延びる軸線の周りで該用具基体を回動可能に支持することにより当該用具基体が上下反転可能とするシャフト部を備えるハンドルと、
を有する掃除用具。
【請求項２】
該用具基体が、
当該用具基体の前端で左右に延びる第１回転軸線の周りで回転可能に保持された第１ローラと、
該用具基体の後端で該第１回転軸線に平行に延びる第２回転軸線の周りで回転可能に保持された第２ローラと、
該第１及び第２ローラの間に掛け回されて、該第１及び第２ローラ間で相互に平行にされた上部走行部及び下部走行部を備える、平面視で四角形状とされた環状支持部材であって、その外表面に沿ってゴミ吸着部材を環状にして保持した状態で、該下部走行部を被掃除面に面するようにして該被掃除面上で無限軌道状に移動されることにより被掃除面のゴミを吸着するようにした環状支持部材と
を有するようにした掃除用具。
【請求項３】
該用具基体が、該第１及び第２回転軸線を含む平面内の該第１及び第２回転軸線の間の中間位置でこれら軸線と平行な第３回転軸線の周りで回転可能に保持された第３ローラを有するようにされている、請求項２に記載の掃除用具。
【請求項４】
該用具基体が細長い左右の側部部材を有し、該ローラが該左右の側部部材間に取り付けられて回転自在とされている請求項２又は３に記載の掃除用具。
【請求項５】
該用具基体が該左右の側部材の間の中間位置に該左右の側部部材と平行にされた細長い中間部材を有し、
該ローラがそれぞれ、該第１乃至第３回転軸線に沿って延びる左右のローラ部分を有し、該左右のローラ部分がそれぞれ該左右の側部部材と該中間部材との間において回転自在に取り付けられている請求項２乃至４のいずれか一項に記載の掃除用具。
【請求項６】
第１回転軸線の周りで回転可能に保持された第１ローラと、該第１回転軸線に平行な第２回転軸線の周りで回転可能に保持された第２ローラと、該第１及び第２回転軸線との間でそれら軸線に平行な第３回転軸線の周りで回転可能に保持された第３ローラと、該第１乃至第３ローラに掛け回されて側面視が三角形状となるようにされ該第1乃至第３ローラの周りを無限軌道状に移動可能に取り付けられた環状支持部材であって、その外表面に沿ってゴミ吸着部材を環状にして保持した状態で、該被掃除面上で無限軌道状に移動されることにより被掃除面のゴミを吸着するようにした掃除用具。
【請求項７】
該用具基体が、
該第３回転軸線の周りで枢動可能に連結された第１及び第２リンク部材を有し、
該第１回転軸線及び該第２回転軸線がそれぞれ、第１リンク部材の先端部及び第２リンク部材の先端部を通るようにされ、
該第１及び第２リンク部材を該第３回転軸線の周りで相対的に枢動することにより、該環状支持部材を該三角形状と平坦な形状との間で変形可能とした請求項６に記載の掃除用具。
【発明の詳細な説明】
【技術分野】
【０００１】
本発明は、床面、机上面などを掃除するための掃除用具に係り、特に、不織布などのゴミ吸着材を用いる掃除用具に関する。
【背景技術】
【０００２】
この種の掃除用具としては、粘着面を有するシートをロール状にしたものを床面などの被掃除面上で転がし粘着面にゴミを付着させるものや（例えば、特許文献１）、吸着剤を含侵させた不織布を板状取付部材にその底面を覆うように取り付けて床面上を滑らせるようにしてゴミを吸着させるようにしたものがある（例えば、特許文献２）。
【０００３】
しかし、上記ロール式の掃除用具は、ロールの直径が大きいためにロール外周の粘着面が、例えば床の壁に近い部分には届かず、ゴミを除去することが出来ない比較的大きな部分が生じる。また、不織布を用いたものは、そのような角部分などでのゴミ除去はできるが、ゴミ吸着面の大きさが限られているために不織布の付け換えを行わずに広い掃除面を掃除するのは難しい。また、多くのものは不織布を板状取付部材の下面側の縁から上方折り曲げて、板状取付部材の上面で固定するようにしているので、ゴミ吸着に使われない部分が生じる。
【０００４】
特許文献３には、所定の温度により粘着性と非粘着性が切り替わる側鎖結晶性ポリマーを塗布した無限軌道状集塵ベルトを備え、該集塵ベルトを被掃除面上で無限軌道状に移動させ、当該集塵ベルトの被掃除面と接触する部分を加熱して粘着性を生じさせて被掃除面上のゴミを捕捉し、該部分が被掃除面から離れるように移動することにより冷却されて粘着性が無くなった位置で、捕捉したゴミを集塵ベルトから剥離し集塵するようにした掃除用具が開示されている。
【先行技術文献】
【特許文献】
【０００５】
【特許文献１】実用新案登録３０１２４５１号
【特許文献２】特開２００２−１７６１９号
【特許文献３】特開２００４−２０８８６３号
【発明の概要】
【発明が解決しようとする課題】
【０００６】
本発明は、上記の如き従来技術に鑑みて、ゴミ吸着部材が床と壁との角部分で出来るだけ壁に近づけるようにすると共に、不織布などのゴミ吸着部材を有効に使用することを可能とし、また特許文献３にあるような加熱装置などを必要とせず、構造が簡単でしかもゴミ吸着力をなるべく長く維持できるようにした掃除用具を提供することを目的とする。
【課題を解決するための手段】
【０００７】
すなわち本発明は、
平面視で全体として四角形状とされた用具基体であって、帯状のゴミ吸着部材を、該用具本体の左右側面側から見て、該用具基体の外周面に沿った環状の形にして取り外し可能に保持する用具基体と、
該用具基体に取り付けられ作業者によって把持されるハンドルであって、該用具基体の左右の側面間を横断する方向に延びる軸線の周りで該用具基体を回動可能に支持することにより当該用具基体が上下反転可能とするシャフト部を備えるハンドルと、
を有する掃除用具を提供する。
【０００８】
この掃除用具では、不織布などの帯状のゴミ吸着部材を用具基体の周囲に環状に保持するようにし、しかも上下反転して使用することが出来るので、ゴミ吸着部材の全面を有効に使用することが出来、当該ゴミ吸着部材の一回のとりつけで掃除できる被掃除面の面積を大幅に広くすることが出来る。また、前述したローラ式のものに比べて、床面などを掃除する場合に壁により近い部分まで掃除をすることを可能とする。
【０００９】
具体的には、用具基体が、
当該用具基体の前端で左右に延びる第１回転軸線の周りで回転可能に保持された第１ローラと、
該用具基体の後端で該第１回転軸線に平行に延びる第２回転軸線の周りで回転可能に保持された第２ローラと、
該第１及び第２ローラの間に掛け回されて、該第１及び第２ローラ間で相互に平行にされた上部走行部及び下部走行部を備える、平面視で四角形状とされた環状支持部材であって、その外表面に沿ってゴミ吸着部材を環状にして取り外し可能に保持し、該下部走行部を被掃除面に面するようにして該被掃除面上で無限軌道状に移動されることにより被掃除面のゴミを吸着するようにした環状支持部材と
を有するようにすることができる。
【００１０】
この場合、該用具基体が、該第１及び第２回転軸線を含む平面内の該第１及び第２回転軸線の間の中間位置でこれら軸線と平行な第３回転軸線の周りで回転可能に保持された第３ローラを有するようにすることができる。
第３ローラは、ゴミ吸着部材を被掃除面に押圧してゴミ吸着作用をより有効にすることを可能とする。
【００１１】
以上のようなローラを用いる場合、該用具基体が細長い左右の側部部材を有し、該ローラが該左右の側部部材間に取り付けられて回転自在とされる構造とすることが出来る。
【００１２】
このような構造では更に、該用具基体が該左右の側部材の間の中間位置に該左右の側部部材と平行にされた細長い中間部材を有し、該ローラがそれぞれ、該回転軸線に沿って延びる左右のローラ部分を有し、該左右のローラ部分がそれぞれ該左右の側部部材と該中間部材との間において回転自在に取り付けられているようにすることができる。
【００１３】
また、本発明は第１回転軸線の周りで回転可能に保持された第１ローラと、該第１回転軸線に平行な第２回転軸線の周りで回転可能に保持された第２ローラと、該第１及び第２回転軸線との間でそれら軸線に平行な第３回転軸線の周りで回転可能に保持された第３ローラと、該第１乃至第３ローラに掛け回されて側面視が三角形状となるようにされ該第1乃至第３ローラの周りを無限軌道状に移動可能に取り付けられた環状支持部材であって、その外表面に沿ってゴミ吸着部材を環状にして保持した状態で、該被掃除面上で無限軌道状に移動されることにより被掃除面のゴミを吸着するようにした掃除用具を提供する。
【００１４】
この場合、該用具基体が、
該第３回転軸線の周りで枢動可能に連結された第１及び第２リンク部材を有し、
該第１回転軸線及び該第２回転軸線がそれぞれ、第１リンク部材の先端部及び第２リンク部材の先端部を通るようにされ、
該第１及び第２リンク部材を該第３回転軸線の周りで相対的に枢動することにより、該環状支持部材を該三角形状と平坦な形状との間で変形可能とすることができる。
【００１５】
以下、本発明に係る管継手の実施形態を添付図面に基づき説明する。
【図面の簡単な説明】
【００１６】
【図１】本発明の第１の実施形態に係る掃除用具の平面図であり、構造を明瞭に示すためにゴミ吸着部材を支持するための環状支持部材を想像線（一点鎖線）で示してある。
【図２】図１の掃除用具の側面図であり、図１と同様に環状支持部材を想像線で示してある。
【図３】図１の掃除用具の斜視図であり、環状支持部材の周りに環状に取り付けられるゴミ吸着部材を想像線（二点鎖線）で示してある。
【図４】本発明の第２の実施形態に係る掃除用具の斜視図であり、該掃除用具の用具基体を明瞭に示すために、ゴミ吸着部材を取り付けるための環状支持部材を想像線（一点鎖線）で示してある。
【図５】図４における掃除用具においてゴミ吸収部材を支持するための環状支持部材の用具基体に取り付ける前の筒状部材を示す斜視図である。
【図６】図４の掃除用具を側面から見た図であり、環状支持部材の収縮力に抗して、用具基体を構成しているリンク部材を図示のような角度に保持するための捩りバネとリンク部材との関係を示す図である。
【図７】図４の掃除用具にハンドルを通して上方から押圧力をかけて枢着されている第１及び第２リンク部材の間の角度を１８０度まで広げ、用具基体及びその周りのゴミ吸着部材が全体として扁平な形状となったときの状態を示す図である。
【発明を実施するための形態】
【００１７】
図１乃至図３に示す第１の実施形態に係る掃除用具１０は、平面視で（図１で見て）全体として四角形状とされた用具基体１２と、該用具基体１２に取り付けられ作業者によって把持されるハンドル３２とを有する。用具基体１２は、図３に示すように帯状のゴミ吸着部材１４を、用具本体１２の左右の側面側から見て、用具基体１２の外周面に沿った環状の形にして取り外し可能に保持する。図中、１４ａ、１４ｂは環状にされた帯状のゴミ吸着部材１４の端部を示す。ハンドル３２は、用具基体１２の左右の側面間を横断する方向に延びる軸線Ｘの周りで用具基体１２を回動可能に支持することにより当該用具基体１２が上下反転可能とするシャフト部３２ａを備える。
【００１８】
図１に示すように、用具基体１２は、用具基体１２の前端で左右に延びる回転軸線Ａの周りで回転可能に保持された第１ローラ２２と、用具基体１２の後端で第１回転軸線Ａに平行に延びる第２回転軸線Ｂの周りで回転可能に保持された第２ローラ２４と、第１及び第２回転軸線を含む平面内の第１及び第２回転軸線の間の中間位置でこれら回転軸線と平行な第３回転軸線Ｃの周りで回転可能に保持された第３ローラ２６と、第１及び第２ローラ２２、２４の間に掛け回されて、第１及び第２ローラ２２、２４間で相互に平行にされた上部走行部３４ａ及び下部走行部３４ｂを備える、平面視で四角形状とされた環状支持部材３４とを有する。図３に示すように、環状支持部材３４はその外表面全体に面ファスナー３６を構成する多数のフック部材３６ａが設けられており、帯地状のゴミ吸着部材１４を環状にして保持した状態で、下部走行部３４ｂを図２に示すように被掃除面Ｆに面するようにして被掃除面Ｆ上で無限軌道状に移動されることにより被掃除面Ｆのゴミを吸着するようにされている。図示の例では、第３回転軸線Ｃは上述の軸線Ｘと同一の軸線とされている。第１乃至第３のローラ２２、２４、２６は同じ直径とされており、第３ローラ２６は上部走行部３４ａと下部走行部３４ｂにその内側から接するようにされている。
【００１９】
用具基体１２は、具体的には、細長い左右の側部部材１２ａ、１２ｂおよび該左右の側部部材の間の中間位置にそれら側部部材と平行にされた細長い中間部材１２ｃを有し、第１乃至第３ローラ２２、２４、２６のそれぞれが、左の側部部材１２ａと中間部材１２ｃとの間及び中間部材１２ｃと右の側部部材１２ｂとの間において回転自在にされた左右のローラ部分２２ａ、２２ｂ、２４ａ、２４ｂ、２６ａ、２６ｂを備えている。より具体的には、左右の側部部材１２ａ、１２ｂ間に、前述のシャフト部３２ａを含めた相互に平行な３本の金属製のシャフト部材１６、１８、２０（３２ａ）が中間部材１２ｃを貫通して取り付けられており、左右のローラ部分２２ａ、２２ｂ、２４ａ、２４ｂ、２６ａ、２６ｂは、それぞれこのシャフト部材１６、１８、２０（３２ａ）に回転自在に取り付けられている。図中、１６ａ、１８ａ、２０ａは側部部材１２ａ、１２ｂから突出したシャフト部材１６、１８、２０の端部に設けられたキャップ部材、１６ｂ、１８ｂ、２０ｂは側部部材１２ａ、１２ｂ、中間部材１２ｃとローラ部分２２ａ、２２ｂ、２４ａ、２４ｂ、２６ａ、２６ｂとの間においてシャフト部材１６、１８、２０の周りに取り付けられた環状スペーサである
【００２０】
この掃除用具１０では、ハンドル３２をその上端部分の把持部３２ａで把持し、環状支持部３４の下部走行部３４ｂを被掃除面Ｆ（図２）に面するようにして無限軌道状に動かすことにより、ゴム吸着部材１４を第１乃至第３ローラの周りに無限軌道状に回し、それにより被掃除面のゴミを吸着する。この掃除用具１０は、用具基体１２が軸線Ｘを中心に上下逆転するように回動可能とされており、従って、環状支持部材３４を無限軌道状に回転しないように固定しておき、下部走行部３４ｂでのゴミ吸着能力が低下したときに、当該用具基体１２を上下反転させ、それまで上部走行部３４ａであった部分を被掃除面Ｆに接するようにして掃除を行い、ゴミ吸着面の略全面をゴミ吸着のために使用することが可能である。
【００２１】
図４乃至図５に示す第２の実施形態に係る掃除用具１０は、基本的には上述の第１の実施形態のものと同様の構成要素を有するが、用具基体１２がリンク機構のように構成されている点で相違している。すなわち、用具基体１２は、相互に平行にされた断面円形の第１乃至第３シャフト部材１６、１８、２０、各シャフトの周りに回転自在に取り付けられた第１乃至第３ローラ２２，２４，２６、第１乃至第３シャフト部材１６，１８，２０を該シャフト部材の軸線方向で相互に間隔をあけられた位置で支持する相互に枢着された第１及び第２リンク部材２８，３０を有している。図示の例では、第３シャフト部材２０が、第１及び第２リンク部材２８，３０の一端を通って延びており、これら第１及び第２リンク部材２８，３０を枢動可能に支持しており、相互に平行にされた第１リンク部材２８の先端部を第１シャフト部材１６が連結し、相互に平行にされた第２リンク部材３０の先端部を第２シャフト部材１８が連結するようになっている。
【００２２】
環状支持部材３４は、図５に示すゴムシートなどの伸縮性のあるシート状部材によって形成された筒状部材３４ａが引き延ばされるようにして第１乃至第３ローラ２２，２４，２６の周りに掛け回され、横断面が三角形状とされている。ゴミ吸着部材１４は、この環状支持部材３４の外周面に沿って環状（三角形状）に配置され、環状支持部材３４の外表面に設けられた面ファスナー３６にその両端を固着して取り付けられるようになっている。ゴミ吸着部材１４の材料としては、吸着剤が含侵された帯状の不織布が好ましい。不織布は、入り組んだ複雑な組織を有し、表面は凹凸にとみ多数の細孔を有するものであり吸着面が大きく且つ伸縮性があるので、本発明に係る掃除具には好ましいものである。
【００２３】
図６に示すように、第３シャフト部材２０には捩りバネ３８が取り付けられ、その両端が第１及び第２リンク部材２８，３０に連結されて、環状支持部材３４が筒状に戻ろうとする力に抗して、第１及び第２リンク部材２８，３０を図示の如き一定角度に保てるようにしている。
【００２４】
図７は、ハンドル３２に下向きの力Fをかけることにより、捩りバネ３８のバネ力に抗して第１及び第２リンク部材２２，２４を直線状に並ぶように広げ、ゴミ吸着部材１４を扁平な形態にした状態を示している。これは例えばサイドボードの下にある上下幅の小さい空間に掃除用具１０を入れて床面を掃除する場合等に適したものとするためのものである。
【００２５】
以上、本発明に係る掃除具１０の実施形態を説明したが、本発明はこの実施形態に限定されるものではない。例えば、第１の実施形態では、用具基体１２を全体として扁平な四角形状の板状部材とし、ローラを設けないようにすることが可能である。このようにした場合でも、用具基体を上下反転することによりゴミ吸着部材の略全面を使用することが出来る。また、用具基体をハンドルと同一の平面内で任意に固定可能として、その場合の用具基体の前端に沿ったゴミ吸着部材の部分を被掃除面に当てて掃除が出来るようにすることも出来る。また、図示の例では、第１乃至第３ローラは同一直径のように図示しているが、必ずしも同一とする必要はない。第１及び第２ローラをなるべく小さくすることで、床面と壁面との間の角部分をより良く清掃することが可能となる。
【符号の説明】
【００２６】
掃除用具１０
用具基体１２
側部部材１２ａ、１２ｂ
中間部材１２ｃ
ゴミ吸収部材１４
第１乃至第３シャフト部材１６，１８，２０
第１乃至第３ローラ２２，２４，２６
ローラ部分２２ａ、２２ｂ、２４ａ、２４ｂ、２６ａ、２６ｂ
第１リンク部材２８
第２リンク部材３０
ハンドル３２
シャフト部３２ａ
環状支持部材３４
上部走行部３４ａ
下部走行部３４ｂ
面ファスナー３６
フック部材３６ａ
捩りバネ３８
【図１】
2017099500.tif 000003
【図２】
2017099500.tif 000004
【図３】
2017099500.tif 000005
【図４】
2017099500.tif 000006
【図５】
2017099500.tif 000007
【図６】
2017099500.tif 000008
【図７】
2017099500.tif 000009